(57)【要約】      （修正有）【解決手段】腰掛式洋式便器の使用者が座る便座１０に位置決め突起物１２を設けることで座る位置を決め、便座１０と便槽３０の間をスライド可能な構造として、便座１０の前後位置を調節できるようにする。【効果】体格の違いや身体機能などの理由で、糞便の落下する位置が定まらない場合でも、簡単に便座の位置を調節することができ、排泄物で便槽内部を汚すことを防止する。また、糞便と尿を別々に回収する際にも、簡単な便座の位置調節により糞便が落下する位置を確定させることができる。【選択図】      図１
2004358112.tif 000002
【特許請求の範囲】
【請求項１】
腰掛式洋式便器において、便座と便槽上部の間をスライド（滑り）状の構造として、便座の前後位置を調節できるようにする装置及びその方法。
【請求項２】
腰掛式洋式便器の便座の後端に、使用者が座る位置の位置決めができるように、便座に便座と垂直方向に突起物を設けること。
【発明の詳細な説明】
【０００１】
【発明の属する技術分野】便器の付属装置に関する。
【０００２】
【従来の技術】腰掛式洋式便器において、最も一般的に普及している便器の構造は、便槽の上部に馬蹄状又は環状の便座を置き、一部を蝶番で止めて開閉できるような構造のものである。蝶番で止めて開閉する目的は、専ら腰掛けて排泄をする女性と違って、男性の場合、立ったまま小用を行うため、尿の飛沫で便座が汚れないようにするためであった。この目的のためには確かに合理的な構造である。しかし、蝶番開閉式では蝶番の位置は便槽の上部の定位置に固定され、蝶番の芯を中心として半円回転をするのみで、便座を倒したときの便座の中央開口部は常に同じ位置にあり、前後位置の調節はできなかった。
【０００３】
また、便槽の内部は通常、便器に腰掛けた使用者の姿勢でいうと前方から後方に向けて下降の傾斜路があり、使用者の糞便排泄器である肛門の直下付近を深くして水を満たした池（シンク）になっている。通常は排泄を行うと尿は傾斜路を通ってシンクに流れ込むが、糞便は直接シンクに落下する。しかし、この時、使用者の体格や座り方の違いで、肛門が便座の前方に位置した場合、糞便はシンクではなく、前述傾斜路上に落下して付着することが頻繁にあった。そのために、しばしば柄付きブラシなどで付着物を擦り落とすという煩わしい作業を必要としていた。
【０００４】
この対策として、前述傾斜路の上部まで水を満たし、多少位置がずれても糞便が水面に落下するような構造の便槽もあるが、そうすると常時溜めておく水の量を増やす必要があり、水を無駄に使用するという問題があった。
【０００５】
また、先の出願である、特願２００３−１５１１８２「ポータブルバイオトイレ」では排泄時に糞便と尿を別々に回収することを特徴としているが、この場合でも、便座が固定されている場合は、使用者の体格や座る位置によっては確実に糞便が糞便槽に落下するとはいえず、糞尿別回収の目的を達成できない可能性を残すという問題点もあった。
【０００６】
【発明が解決しようとする課題】解決しよう課題は、腰掛式洋式便器に関し、便器の使用者の座る位置によっては、排泄物で便槽内部が汚れるため、煩雑な清掃作業を必要とするという問題である。また、糞便と尿を別々に回収する際に、糞便が落下する位置が確定できないという問題である。
【０００７】
【課題を解決するための手段】本発明では、腰掛式洋式便器の使用者が座る便座に突起物を設け座る位置を決め、便座と便槽上部の間をスライド（滑り）状の構造として、便座の前後位置を調節できるようにして課題を解決することを主要な特徴とする。
【０００８】
【発明の実施の形態】本発明の実施の形態例を図１、図２、図３及び図４によって説明する。図１は最も一般的な腰掛式洋式便器の正面図である。便槽（３０）の上部に一対の便槽側レール（２０）を平行に配置する。便座（１０）の下側にも複数の便座側スライド器（１１）を形成する。便座側スライド器（１１）は便槽側レール（２０）に摩擦が少ない状態で嵌合している。例えば溝と突起やレールとコロの組み合わせの類の構造になっている。便槽側レール（２０）は便座側スライド器（１１）が滑らかに往復直線運動を可能にすべく誘導するために、レール或いは溝の方向と便座側スライド器（１１）の配列は互いに平行の関係にある。従って、便座側にレール、便槽側にスライド器、というように逆に構成しても同様の効果がある。通常、図１において、便器の使用者は図面に向かって右を正面に見て腰掛けるので、右を前方又は前部、左を後方又は後部とする。便座（１０）の後端部には位置決め突起物（１２）を形成し、使用者の臀部尾底骨付近が突起物（１２）に当たって、それ以上後に下がらないように工夫している。以上説明したように、便器の使用者に体の一部を便座の一定位置に位置決めさせ、便座をスライドさせることにより位置を調節できるように工夫した点が本発明の特徴である。
【０００９】
【実施例】図１、図２、図３で説明すると、便器の使用者が便座（１０）に図面に向かって右を正面に見て腰掛けると、多くの場合糞便は便槽内シンク（３２）内の（Ｗ）で示す位置及び方向に落下するので問題ないが、体格や座り方によっては（Ｙ）の位置に落下し、糞便が便槽内傾斜路（３１）に付着することがある。体格の違いや身体機能などの理由で、糞便が図１の（Ｙ）位置に落下することがある場合、使用者が、臀部を位置決め突起物（１２）に当てた状態で図５、図６の（Ｒ）方向に便座（１０）をスライドさせれば便槽内シンク（３２）内の（Ｚ）の位置に糞便を落下させることができ、目的を達成することができる。また、場合によっては（Ｒ）と逆の方向にスライドさせることもできる。
【００１０】
便槽側レール（２０）に位置決めの目盛などを付けておき、一度調節した記録を残しておくと、使用者は次回からは、事前に位置決めをした後、便座に座ることができ、位置調節が非常に簡単である。
【００１１】
また、先の出願である、特願２００３−１５１１８２「ポータブルバイオトイレ」では、通常の便器でいう、尿の流れる傾斜路と便槽内シンクの境界に仕切り板を設け、尿と糞便を前後別々に回収することを特徴としているが、この場合でも、本発明によれば、便座位置を調節して、確実に糞便を糞便槽に回収することができる。
【００１７】
【発明の効果】
以上の説明のように、本発明によれば、体格の違いや身体機能などの理由で、糞便の落下する位置が定まらない場合でも、簡単に便座の位置を調節することができ、排泄物で便槽内部を汚すことを防止する。また、糞便と尿を別々に回収する際にも、簡単な便座の位置調節により糞便が落下する位置を確定させることができる。
【図面の簡単な説明】
【図１】本発明による装置の使用例の正面図である。
【図２】本発明による装置の使用例の平面図である。
【図３】本発明による装置の使用例の右側面図である。
【図４】図３における（Ｓ）部の詳細断面図である。
【図５】本発明による装置の使用実施例の正面図である。
【図６】本発明による装置の使用実施例の平面図である。
【符号の説明】
１０    便座
１１    便座側スライド器
１２    位置決め突起物
２０    便槽側レール
３０    便槽
３１    便槽内傾斜路
３２    便槽内シンク
Ｗ      便槽内シンクに糞便が落下する方向及び位置
Ｙ      便座位置調節前に便槽内傾斜路に糞便が落下する方向及び位置
Ｚ      便座位置調節後に便槽内シンクに糞便が落下する方向及び位置
Ｓ      別図に拡大して示す部分
Ｒ      便座をスライドさせた方向
【図１】
2004358112.tif 000003
【図２】
2004358112.tif 000004
【図３】
2004358112.tif 000005
【図４】
2004358112.tif 000006
【図５】
2004358112.tif 000007
【図６】
2004358112.tif 000008